(57)【要約】【課題】  装置が故障するといった緊急事態が生じた場合でも、メッセージビデオを作成できる、メッセージビデオ作成プログラム、記録媒体並びにメッセージビデオ作成装置を提供する。【解決手段】  メッセージビデオ作成装置１は、表示画面３と、表示画面上にタッチパネルとして表示される操作制御手段と、録画開始ボタン４と、録画停止ボタン５と、録音レベル調整ダイヤル６と、スピーカー７とを備えたモニター２と、マイクロホンが内蔵された可動式のビデオカメラ８と、録画開始ボタンが押されると点灯すると共に録画停止ボタンが押されると消灯する照明器具９と、メッセージビデオ作成プログラムがインストールされているコンピュータ１０と、コンピュータの電源スイッチ１１と、モニター２及びコンピュータ１０を載せた、キャスター１３付き移動台１２とから構成されている。【選択図】  図１
2007081916.tif 000002
【特許請求の範囲】
【請求項１】
電子計算機にインストールされ、同電子計算機をメッセージビデオ作成装置として機能させるメッセージビデオ作成プログラムであって、
前記電子計算機に、
被写体を撮像する機能と、
撮像された映像を表示する機能と、
前記電子計算機の操作を制御する機能と、
１回の録画当たりの最大録画時間を設定する機能と、
前記最大録画時間内において、操作により録画の開始及び停止を行なう機能と、
前記最大録画時間を超えると自動的に録画を停止する機能と、
録画の開始から前記電子計算機の電源が切られるまで録画データを第１の記録媒体に保存すると共に、録画の開始から録画の停止まで録画データを第２の記録媒体に保存する機能とを付与する
メッセージビデオ作成プログラム。
【請求項２】
前記第１の記録媒体が前記電子計算機の外部にある通信可能な端末に配置されていると共に、前記電子計算機に、前記録画データを前記第１の記録媒体へ送信する機能を付与する
請求項１に記載のメッセージビデオ作成プログラム。
【請求項３】
前記第２の記録媒体が前記電子計算機の外部にある通信可能な端末に配置されていると共に、前記電子計算機に、前記録画データを前記第２の記録媒体へ送信する機能を付与する
請求項１または請求項２に記載のメッセージビデオ作成プログラム。
【請求項４】
前記電子計算機に、前記第１の記録媒体に保存された録画データと前記第２の記録媒体に保存された録画データとを編集する機能を付与する
請求項１に記載のメッセージビデオ作成プログラム。
【請求項５】
電子計算機に、
被写体を撮像する機能と、
撮像された映像を表示する機能と、
前記電子計算機の操作を制御する機能と、
１回の録画当たりの最大録画時間を設定する機能と、
前記最大録画時間内において、操作により録画の開始及び停止を行なう機能と、
前記最大録画時間を超えると自動的に録画を停止する機能と、
操作による録画の開始から前記電子計算機の電源が切られるまで録画データを第１の記録媒体に保存すると共に、操作による録画の開始から操作による停止まで録画データを第２の記録媒体に保存する機能とを付与する、前記電子計算機をメッセージビデオ作成装置として機能させるメッセージビデオ作成プログラムを記録した電子計算機読み取り可能な記録媒体。
【請求項６】
前記第１の記録媒体が前記電子計算機の外部にある通信可能な端末に配置されていると共に、前記メッセージビデオ作成プログラムが、前記電子計算機に、前記録画データを前記第１の記録媒体へ送信する機能を付与する
請求項５に記載の記録媒体。
【請求項７】
前記第２の記録媒体が前記電子計算機の外部にある通信可能な端末に配置されていると共に、前記メッセージビデオ作成プログラムが、前記電子計算機に、前記録画データを前記第２の記録媒体へ送信する機能を付与する
請求項５または請求項６に記載の記録媒体。
【請求項８】
前記メッセージビデオ作成プログラムが、前記電子計算機に、前記第１の記録媒体に保存された録画データと前記第２の記録媒体に保存された録画データとを編集する機能を付与する
請求項５に記載の記録媒体。
【請求項９】
メッセージビデオ作成プログラムがインストールされたメッセージビデオ作成装置であって、
被写体を撮像する撮像手段と、
撮像された映像を表示する表示手段と、
前記メッセージビデオ作成装置の操作を制御する操作制御手段と、
１回の録画当たりの最大録画時間を設定する最大録画時間設定手段と、
前記最大録画時間内において、操作により録画の開始及び停止を行なう入切手段と、
前記最大録画時間を超えると自動的に録画を停止する自動録画停止手段と、
操作による録画の開始から前記メッセージビデオ作成装置の電源が切られるまで録画データを第１の記録媒体に保存すると共に、操作による録画の開始から操作による停止まで録画データを第２の記録媒体に保存するバックアップ手段とを備えた
メッセージビデオ作成装置。
【請求項１０】
前記第１の記録媒体が前記電子計算機の外部にある通信可能な端末に配置されていると共に、前記録画データを前記第１の記録媒体へ送信する第１の送信手段を備えた
請求項９に記載のメッセージビデオ作成装置。
【請求項１１】
前記第２の記録媒体が前記電子計算機の外部にある通信可能な端末に配置されていると共に、前記録画データを前記第２の記録媒体へ送信する第２の送信手段を備えた
請求項９または請求項１０に記載のメッセージビデオ作成装置。
【請求項１２】
前記第１の記録媒体に保存された録画データと前記第２の記録媒体に保存された録画データとを編集する編集手段を備えた
請求項９に記載のメッセージビデオ作成装置。
【発明の詳細な説明】
【技術分野】
【０００１】
本発明はメッセージビデオ作成プログラム、記録媒体並びにメッセージビデオ作成装置に関する。詳しくは、結婚式場等にて簡単にメッセージビデオを作成できる、メッセージビデオ作成プログラム、記録媒体並びにメッセージビデオ作成装置に係るものである。
【背景技術】
【０００２】
従来、例えば写真プリントをアルバムに貼って、この写真プリントに関するコメント等も記載して保管している。また、ネガフィルムについても、例えばケースにまとめて入れて焼き増しのために取り出せるよう保管している。ところが、アルバムの保管スペースが嵩み、また、写真プリントの数が多すぎてアルバムに貼られず放置されている場合もある。また、ネガフィルムについても、写真プリントと同様に保管できれば、画像の検索にも利用でき便利である。
【０００３】
そこで、ＤＶＤ等の記録媒体に保存されるメッセージビデオが注目されており、メッセージビデオ作成に関する様々な技術が提案されている。例えば特許文献１には、コンピュータを、利用者を撮影する撮影手段を制御する撮影制御手段と、ビデオ映像を表示させる表示制御手段と、操作手段による操作を制御する操作制御手段と、一人当たりの最大録画時間の設定制御手段と、最大録画時間内において操作手段による録画の開始及び停止操作により作動されるオンオフ制御手段と、最大録画時間を超えると自動的に録画を停止させる自動停止制御手段と、全利用者のビデオ記録完了後にビデオ記録データとビデオ記録データの再生手段とを保存手段の取り外し自在なメディアに書き込むメディア書き込み制御手段として機能させるためのメッセージビデオ作成装置が記載されている。このような構成により、パソコン操作に不慣れな者でも簡単にメッセージビデオを作成できる。
【０００４】
【特許文献１】特開２００４−１５９１２８号公報
【発明の開示】
【発明が解決しようとする課題】
【０００５】
しかしながら、従来のメッセージビデオ作成装置では、ビデオ記録データが記録されるコンピュータが故障した場合には、それまで記録されたデータが利用不能となったり、ビデオ記録が以後行なえなくなったりといった不都合が生じていた。特に、「メッセージビデオ」を作成するのは、披露宴や同窓会等であり、メッセージの取り直しが実質的に不可能である場合が多いと考えられるところ、緊急事態が生じた場合であってもメッセージビデオのデータが不能となることなく、また、緊急事態が生じた後においてもメッセージビデオの撮影を継続できるシステムの提供が強く求められていた。
【０００６】
本発明は、以上の点に鑑みて創案されたものであり、装置が故障するといった緊急事態が生じた場合でも、メッセージビデオを作成できる、メッセージビデオ作成プログラム、記録媒体並びにメッセージビデオ作成装置を提供することを目的とする。
【課題を解決するための手段】
【０００７】
上記の目的を達成するために、本発明のメッセージビデオ作成プログラムは、電子計算機にインストールされ、同電子計算機をメッセージビデオ作成装置として機能させるメッセージビデオ作成プログラムであって、前記電子計算機に、被写体を撮像する機能と、撮像された映像を表示する機能と、前記電子計算機の操作を制御する機能と、１回の録画当たりの最大録画時間を設定する機能と、前記最大録画時間内において、操作により録画の開始及び停止を行なう機能と、前記最大録画時間を超えると自動的に録画を停止する機能と、録画の開始から前記電子計算機の電源が切られるまで録画データを第１の記録媒体に保存すると共に、録画の開始から録画の停止まで録画データを第２の記録媒体に保存する機能とを付与する。
【０００８】
ここで、録画の開始から電子計算機の電源が切られるまで録画データを第１の記録媒体に保存すると共に、録画の開始から録画の停止まで録画データを第２の記録媒体に保存する機能とを電子計算機に付与することによって、電子計算機の電源が切られなければ、電子計算機に不具合が生じても録画データの保護やメッセージビデオの録画を続けることができる。
【０００９】
また、本発明のメッセージビデオ作成プログラムにおいて、第１の記録媒体が電子計算機の外部にある通信可能な端末に配置されていると共に、電子計算機に、録画データを第１の記録媒体へ送信する機能を付与する場合、電子計算機と第１の記録媒体とが通信可能な状態で接続されているので、例えば端末が外部のサーバであれば電子計算機の動作状態をサーバにて監視できる。
【００１０】
また、本発明のメッセージビデオ作成プログラムにおいて、前記第２の記録媒体が前記電子計算機の外部にある通信可能な端末に配置されていると共に、電子計算機に、録画データを第２の記録媒体へ送信する機能を付与する場合、電子計算機と第２の記録媒体とが通信可能な状態で接続されているので、例えば端末が外部のサーバであれば電子計算機の動作状態をサーバにて監視できる。
【００１１】
また、本発明のメッセージビデオ作成プログラムにおいて、電子計算機に、第１の記録媒体に保存された録画データと第２の記録媒体に保存された録画データとを編集する機能を付与した場合、電子計算機の電源が切られなければ、電子計算機に不具合が生じても録画データを利用することができる。
【００１２】
また、上記の目的を達成するために、本発明の記録媒体は、電子計算機に、被写体を撮像する機能と、撮像された映像を表示する機能と、前記電子計算機の操作を制御する機能と、１回の録画当たりの最大録画時間を設定する機能と、前記最大録画時間内において、操作により録画の開始及び停止を行なう機能と、前記最大録画時間を超えると自動的に録画を停止する機能と、操作による録画の開始から前記電子計算機の電源が切られるまで録画データを第１の記録媒体に保存すると共に、操作による録画の開始から操作による停止まで録画データを第２の記録媒体に保存する機能とを付与する、前記電子計算機をメッセージビデオ作成装置として機能させるメッセージビデオ作成プログラムを記録した電子計算機読み取り可能なものである。
【００１３】
ここで、録画の開始から電子計算機の電源が切られるまで録画データを第１の記録媒体に保存すると共に、録画の開始から録画の停止まで録画データを第２の記録媒体に保存する機能とを電子計算機に付与することによって、電子計算機の電源が切られなければ、電子計算機に不具合が生じても録画データの保護やメッセージビデオの録画を続けることができる。
【００１４】
更に、上記の目的を達成するために、本発明のメッセージビデオ作成装置は、メッセージビデオ作成プログラムがインストールされたメッセージビデオ作成装置であって、被写体を撮像する撮像手段と、撮像された映像を表示する表示手段と、前記メッセージビデオ作成装置の操作を制御する操作制御手段と、１回の録画当たりの最大録画時間を設定する最大録画時間設定手段と、前記最大録画時間内において、操作により録画の開始及び停止を行なう入切手段と、前記最大録画時間を超えると自動的に録画を停止する自動録画停止手段と、操作による録画の開始から前記メッセージビデオ作成装置の電源が切られるまで録画データを第１の記録媒体に保存すると共に、操作による録画の開始から操作による停止まで録画データを第２の記録媒体に保存するバックアップ手段とを備えている。
【００１５】
ここで、録画の開始から電子計算機の電源が切られるまで録画データを第１の記録媒体に保存すると共に、録画の開始から録画の停止まで録画データを第２の記録媒体に保存する機能とを電子計算機に付与することによって、電子計算機の電源が切られなければ、電子計算機に不具合が生じても録画データの保護やメッセージビデオの録画を続けることができる。
【発明の効果】
【００１６】
本発明に係るメッセージビデオ作成プログラムは、装置が故障するといった緊急事態が生じた場合でも、メッセージビデオを作成できる。
本発明に係る記録媒体は、装置が故障するといった緊急事態が生じた場合でも、メッセージビデオを作成できる。
本発明に係るメッセージビデオ作成装置は、装置が故障するといった緊急事態が生じた場合でも、メッセージビデオを作成できる。
【発明を実施するための最良の形態】
【００１７】
以下、本発明の実施の形態について図面を参照しながら説明し、本発明の理解に供する。図１は、本発明を適用したメッセージビデオ作成装置の一例を示す概略正面図である。メッセージビデオ作成装置１は、表示画面３と、表示画面上にタッチパネルとして表示される操作制御手段（図示せず。）と、録画開始ボタン４と、録画停止ボタン５と、録音レベル調整ダイヤル６と、スピーカー７とを備えたモニター２と、モニター上に配置されていると共にマイクロホンが内蔵された可動式のビデオカメラ８と、録画開始ボタンが押されると点灯すると共に録画停止ボタンが押されると消灯する、ビデオカメラの横に配置された照明器具９と、本発明を適用したメッセージビデオ作成プログラムがインストールされているコンピュータ１０と、コンピュータの電源スイッチ１１と、モニター２及びコンピュータ１０を載せた、キャスター１３付き移動台１２とから構成されている。また、コンピュータには、テープに保存された録画データをデジタル化して、コンピュータ内のハードディスクに保存された録画データに挿入する等の編集作業を行なえるソフトウェアがインストールされている。
【００１８】
１回の録画当たりの最大録画時間は、例えば結婚式場での録画の場合、実際の出席者数よりもやや多い数を想定して、想定出席者数をコンピュータに入力し、コンピュータ内の最大録画時間設定手段によって設定される。
【００１９】
録画データは、モニター内のテープと、コンピュータ内のハードディスクとに保存される。操作による録画の開始からメッセージビデオ作成装置の電源が切られるまで録画データはモニター内のテープに保存され、一方、操作による録画の開始から操作による停止まで録画データはコンピュータ内のハードディスクに保存される。ここで、コンピュータ内のハードディスクに保存される録画データの保存形式については、（１）汎用的なデータ形式（例えばＭＰＥＧ等の汎用データ）で保存する場合、（２）特殊なデータ形式で保存する場合の２つの方法が考えられるが、以下の理由により汎用データ形式で保存する方が望ましい。
【００２０】
上記（１）に記載した汎用的なデータ形式で録画データを保存した場合には、録画データをホームページに掲載したり、家庭用の汎用ＤＶＤプレーヤーで録画データを閲覧したりすることが可能である。
また、結婚披露宴における録画データの利用例としては、披露宴の来場者のみならず、新郎新婦が来場者に向けてのメッセージをもビデオメッセージとして撮影し、このビデオメッセージを、インターネットを通じてアクセス可能なサーバにアップロードしておく。そして、新郎新婦が結婚披露宴後に来場者へ送信するお礼状に２次元バーコード等を付し、お礼状を受領した来場者が携帯電話等でこの２次元バーコードを読み取り、サーバ上にアップロードされた新郎新婦からのメッセージにアクセスすることによって、文字情報のみではなく、音声や映像を伴った新郎新婦から結婚披露宴の来場者に対するお礼の気持ちを伝えることが可能となる。
一方、上記（２）に記載した特殊なデータ形式で録画データを保存した場合には、汎用のデータではないために、この特殊なデータを再生するための再生手段をもテープやハードディスクに保存する必要があると考えられる。再生手段のデータ量は、録画データと比べると一般的にそれほど大容量ではないものの、テープやハードディスクの容量が有限であることを考慮すると、再生手段を保存することによって録画データを保存するための容量が少なくなることは確かである。
【００２１】
ここで、ビデオカメラは撮像手段の一例であり、モニターは表示手段の一例であり、モニター内のテープは第１の記録媒体の一例であり、コンピュータ内のハードディスクは第２の記録媒体の一例である。また、録画データを保存できれば、第１の記録媒体は必ずしもテープでなくてもよく、また第２の記録媒体は必ずしもハードディスクでなくてもよく、例えばＣＤ−Ｒ、ＣＤ−ＲＷ、ＤＶＤ−ＲＡＭ、ＤＶＤ−Ｒ、ＤＶＤ−ＲＷ等でもよい。
【００２２】
また、本発明を適用したメッセージビデオ作成装置は、撮像手段と、表示手段と、操作制御手段と、最大録画時間設定手段と、入切手段と、自動録画停止手段と、操作による録画の開始からメッセージビデオ作成装置の電源が切られるまで録画データを第１の記録媒体に保存すると共に、操作による録画の開始から操作による停止まで録画データを第２の記録媒体に保存するバックアップ手段とを備えていれば、必ずしも、照明器具、録音レベル調整ダイヤル、キャスター付き移動台及び、テープに保存された録画データをデジタル化して、コンピュータ内のハードディスクに保存された録画データに挿入する等の編集作業を行なえるソフトウェアを備えていなくてもよく、ビデオカメラは可動式でなくてもよく、またマイクロホンは内蔵ではなくビデオカメラとは別体でもよい。また、操作によって録画の開始と録画の停止を行なうことができれば、表示画面上にタッチパネルとして録画開始ボタンと録画停止ボタンを表示させてもよい。
【００２３】
図２は、モニターの表示画面の一例を示す概略図である。先ず、コンピュータ１０の電源スイッチ１１を押して、メッセージビデオ作成装置１の電源が入ると、ビデオカメラ８も作動し始め、被写体（利用者）の撮像を始める。その時、モニター２の表示画面３には、図２（ａ）に示されるようなボタンや領域が表示される。即ち、モニター２の表示画面３には、ビデオカメラによって撮像された画像が表示される画像領域１４と、画像領域に表示される画像をサムネイルに切り替えるサムネイルボタンや、録画データの再生や停止を行なうボタンや、画像を削除するボタンや、画面構成を結婚式仕様やその他の仕様に切り替える切替ボタンや、録画データの再生及び停止といった録画データの確認作業を終了して録画待機状態にする終了ボタンからなるメニューボタン１５と、モニター内のテープ残量を表示するテープ残量表示領域１６と、表示されたサムネイルを選択するためのカーソルを移動させる移動ボタン１７と、現在の状況を説明する説明表示領域１８とが表示される。
【００２４】
図２（ａ）では、録画が開始されておらず単にビデオカメラによって利用者が映し出された録画待機状態の表示画面の様子を示しており、説明表示領域には例えば「メッセージを録画してください。」というように録画を促す文字が表示され、図２（ｂ）では、録画データをサムネイルで表示して録画データを確認中の表示画面の様子を示している。なお、図２（ｂ）のようにサムネイルで録画データを表示した後、移動ボタンを操作して再生したい画像を選んで再生ボタンを押した場合や、録画停止後に再生ボタンを押した場合、図２（ａ）のように画像領域に拡大された画像が表示され、再生が始まる。その際、説明表示領域には例えば「録画データ確認中。」というように録画データを確認していることを示す文字が表示される。
【００２５】
次に、利用者は、録画開始ボタン４を押して録画を開始し、例えば結婚式場での録画の場合、新郎新婦へのお祝いの言葉を述べ終えた後、録画停止ボタン５を押して録画を停止する。また、最大録画時間内に利用者が録画停止ボタンを押さずにその場を立ち去っても、最大録画時間を超えると自動的に録画を停止する自動録画停止手段が働き、録画は停止する。録画が停止することにより、コンピュータ内のハードディスクへの録画データの保存は停止するが、メッセージビデオ作成装置の電源は切られていないので、テープへの録画データの保存は続行される。停止後、利用者は再生ボタンを押して録画データを確認でき、録画し直したい場合は削除ボタンを押して終了ボタンを押すか、そのまま終了ボタンを押してもう一度録画を開始する。
【００２６】
図３は、録画データを、インターネットを介して送信して外部のサーバ内にある記録媒体に保存する様子の一例を示す概略図である。図３において、メッセージビデオ作成装置１が備える第１の送信手段１９や第２の送信手段２０から、録画データを、インターネット２１を介して、サーバ２２が備える第１の記録媒体２３や第２の記録媒体２４にそれぞれ送信して、第１の記録媒体２３及び第２の記録媒体２４に保存される。ここで、録画データを第１の記録媒体や第２の記録媒体に送信できれば、必ずしもインターネットを介さなくてもよく、例えばＬＡＮ（構内通信網）を介して送信してもよいし、また、必ずしも第１の記録媒体と第２の記録媒体とが同じサーバ内に配置されていなくてもよく、それぞれ個別のサーバ内に配置されていてもよい。
【００２７】
本実施例では、結婚式場での新郎新婦へのお祝い用のメッセージビデオ作成を例に挙げて説明したが、学校等における卒業生へのお祝い用メッセージビデオや、離れて暮らす家族等への近況報告用メッセージビデオを作成してもよいことは勿論である。
【００２８】
このように、本発明を適用したメッセージビデオ作成プログラムは、電子計算機に、録画の開始から電子計算機の電源が切られるまで録画データを第１の記録媒体に保存すると共に、録画の開始から録画の停止まで録画データを第２の記録媒体に保存する機能とを付与するので、電子計算機の電源が切られなければ、電子計算機に不具合が生じても録画データの保護やメッセージビデオの録画を続けることができ、装置が故障するといった緊急事態が生じた場合でも、メッセージビデオを作成できる。
【００２９】
また、本発明を適用したメッセージビデオ作成プログラムは、電子計算機に、録画の開始から電子計算機の電源が切られるまで録画データを第１の記録媒体に保存すると共に、録画の開始から録画の停止まで録画データを第２の記録媒体に保存する機能とを付与するので、利用者の操作等により録画を停止した後も、電子計算機の電源が切られなければ録画データを保存し続けることができ、利用者の映像を網羅できるため包括的なメッセージビデオを作成できる。
【００３０】
また、本発明を適用したメッセージビデオ作成プログラムは、電子計算機に、第１の記録媒体に保存された録画データと第２の記録媒体に保存された録画データとを編集する機能を付与した場合、利用者が録画を停止した後の様子もデータとして使用することができ、ユニークなメッセージビデオを作成できる。
【００３１】
また、モニター内のテープ残量を表示するテープ残量表示領域がモニターの表示画面に表示されるので、テープ残量を知ることができ、速やかにテープ交換を行うことができる。
【００３２】
また、メッセージビデオ作成装置の外部にある、通信可能なサーバが備える第１の記録媒体や第２の記録媒体に録画データを送信して録画データを保存するので、メッセージビデオ作成装置の動作状態をサーバにて監視でき、また、メッセージビデオ作成装置にてテープやＤＶＤの残量を考えなくてもよく、録画データの保存状況をサーバにて管理でき、更に、メッセージビデオ作成装置が故障しても故障するまでの録画データを保護できる。
【図面の簡単な説明】
【００３３】
【図１】本発明を適用したメッセージビデオ作成装置の一例を示す概略正面図である。
【図２】モニターの表示画面の一例を示す概略図である。
【図３】録画データを、インターネットを介して送信して外部のサーバ内にある記録媒体に保存する様子の一例を示す概略図である。
【符号の説明】
【００３４】
１    メッセージビデオ作成装置
２    モニター
３    表示画面
４    録画開始ボタン
５    録画停止ボタン
６    録音レベル調整ダイヤル
７    スピーカー
８    ビデオカメラ
９    照明器具
１０    コンピュータ
１１    電源スイッチ
１２    移動台
１３    キャスター
１４    画像領域
１５    メニューボタン
１６    テープ残量表示領域
１７    移動ボタン
１８    説明表示領域
１９    第１の送信手段
２０    第２の送信手段
２１    インターネット
２２    サーバ
２３    第１の記録媒体
２４    第２の記録媒体
【図１】
2007081916.tif 000003
【図２】
2007081916.tif 000004
【図３】
2007081916.tif 000005